(57)【要約】      （修正有）【課題】同行者を設定する際の誤設定を防止するとともに、操作を簡略化することができる情報処理装置およびコメント投稿方法を提供する。【解決手段】車載装置１は、ソーシャル・ネットワーキング・サービスにおいて投稿するコメントを作成する投稿コメント作成部５１と、一緒に行動している同行者を自動的に特定する同行者特定部５２と、同行者特定部５２によって特定された同行者の情報を付加してコメントを投稿する投稿処理部５３とを備えている。【選択図】図２
2015095031.tif 000002
【特許請求の範囲】
【請求項１】
ソーシャル・ネットワーキング・サービスにおいて投稿するコメントを作成する投稿コメント作成手段と、
一緒に行動している同行者を自動的に特定する同行者特定手段と、
前記同行者特定手段によって特定された同行者の情報を付加して前記コメントを投稿する投稿手段と、
を備えることを特徴とする情報処理装置。
【請求項２】
請求項１において、
前記同行者特定手段は、予め登録されている複数の同行者候補の中から所定の条件を満たす同行者候補を選択することにより同行者を特定することを特徴とする情報処理装置。
【請求項３】
請求項１または２において、
前記同行者特定手段によって特定した同行者に対して削除および追加の少なくとも一方を行って同行者を修正する同行者修正手段をさらに備えることを特徴とする情報処理装置。
【請求項４】
請求項１〜３のいずれか一項において、
前記同行者特定手段は、近距離無線通信によって相互に接続された他の情報処理装置の利用者を同行者として特定することを特徴とする情報処理装置。
【請求項５】
請求項４において、
前記無線通信は、ブルートゥースであることを特徴とする情報処理装置。
【請求項６】
請求項１〜３のいずれか一項において、
前記コメントに付加する位置情報を取得する位置情報取得手段をさらに備え、
前記同行者特定手段は、他の情報処理装置の前記位置情報取得手段によって付加された位置情報から、自装置の所定範囲内に存在する他の情報処理装置の利用者を同行者として特定することを特徴とする情報処理装置。
【請求項７】
請求項１〜３のいずれか一項において、
前記投稿手段は、前記コメントに自装置の位置情報を付加して送信しており、
前記同行者特定手段は、前記位置情報に基づいて検出される移動軌跡が一致する他の情報処理装置の利用者を同行者として特定することを特徴とする情報処理装置。
【請求項８】
請求項７において、
前記同行者特定手段は、一定時間の移動軌跡が一致する場合に同行者として特定することを特徴とする情報処理装置。
【請求項９】
請求項１〜３のいずれか一項において、
前記コメントに付加する写真を取り込む写真取得手段をさらに備え、
前記同行者特定手段は、前記写真取得手段によって取り込まれた写真に含まれる人物の顔を抽出し、抽出した顔に基づいて同行者を特定することを特徴とする情報処理装置。
【請求項１０】
請求項１〜９のいずれか一項において、
前記ソーシャル・ネットワーキング・サービスは、フェイスブックであることを特徴とする情報処理装置。
【請求項１１】
ソーシャル・ネットワーキング・サービスにおいて投稿するコメントを投稿コメント作成手段によって作成するステップと、
一緒に行動している同行者を自動的に同行者特定手段によって特定するステップと、
投稿手段によって、前記同行者特定手段によって特定された同行者の情報を付加して前記コメントを投稿するステップと、
を有することを特徴とするコメント投稿方法。
【発明の詳細な説明】
【技術分野】
【０００１】
本発明は、ソーシャル・ネットワーキング・サービス等において、一緒に行動している複数の利用者に関する情報を付加して投稿を行う情報処理装置およびコメント投稿方法に関する。
【背景技術】
【０００２】
一般に、ソーシャル・ネットワーキング・サービス（以後、ＳＮＳと称する）において、通信端末装置から投稿を行う際に、一緒に行動している利用者に関する情報を付加して投稿を行う機能が知られている。例えば、ＳＮＳの一つであるフェイスブック（登録商標）では、既に登録済みの友達をリスト形式で表示し、その中から一緒に行動している友達を選択して投稿を行うことができる。この投稿を閲覧する他の利用者は、投稿者と行動を共にしている友達を知ることができる。
【０００３】
従来から、端末装置に複数の友達等の情報をリスト表示し、その中から任意の友達を選択することができる無線通信端末が知られている（例えば、特許文献１参照。）。この手法を用いれば、上述したフェイスブックにおける投稿に際して、複数の友達をリスト形式で表示し、その中から一緒に行動している友達を選択することが可能となる。
【先行技術文献】
【特許文献】
【０００４】
【特許文献１】特開２００３−２５９０１１号公報
【発明の概要】
【発明が解決しようとする課題】
【０００５】
ところで、上述したように友達をリスト形式で表示してその中から一緒に行動している友達（同行者）を選択しようとすると、漏れや実際には同行していない友達を選択してしまう場合があり、選択操作が煩雑な上に、同行者を誤設定するおそれがあるという問題があった。また、このような設定は、投稿を行う際に毎回行う必要があり、操作がさらに煩雑になる。
【０００６】
本発明は、このような点に鑑みて創作されたものであり、その目的は、同行者を設定する際の誤設定を防止するとともに、操作を簡略化することができる情報処理装置を提供することにある。
【課題を解決するための手段】
【０００７】
上述した課題を解決するために、本発明の情報処理装置は、ソーシャル・ネットワーキング・サービスにおいて投稿するコメントを作成する投稿コメント作成手段と、一緒に行動している同行者を自動的に特定する同行者特定手段と、同行者特定手段によって特定された同行者の情報を付加してコメントを投稿する投稿手段とを備えている。また、本発明のコメント投稿方法は、ソーシャル・ネットワーキング・サービスにおいて投稿するコメントを投稿コメント作成手段によって作成するステップと、一緒に行動している同行者を自動的に同行者特定手段によって特定するステップと、投稿手段によって、同行者特定手段によって特定された同行者の情報を付加してコメントを投稿するステップとを有している。特に、上述した同行者特定手段は、予め登録されている複数の同行者候補の中から所定の条件を満たす同行者候補を選択することにより同行者を特定することが望ましい。同行者を自動的に特定することにより、手動設定する場合のような同行者の誤設定を防止することができるとともに、操作を簡略化することができる。
【０００８】
また、上述した同行者特定手段によって特定した同行者に対して削除および追加の少なくとも一方を行って同行者を修正する同行者修正手段をさらに備えることが望ましい。これにより、自動的に設定した同行者に誤りがあった場合などに変更を加えることができ、実情に合わせた設定が可能となる。
【０００９】
また、上述した同行者特定手段は、近距離無線通信によって相互に接続された他の情報処理装置の利用者を同行者として特定することが望ましい。また、上述した無線通信は、ブルートゥースであることが望ましい。これにより、一緒に行動している同行者を容易かつ確実に特定することができる。
【００１０】
また、上述したコメントに付加する位置情報を取得する位置情報取得手段をさらに備え、同行者特定手段は、他の情報処理装置の位置情報取得手段によって付加された位置情報から、自装置の所定範囲内に存在する他の情報処理装置の利用者を同行者として特定することが望ましい。これにより、一緒に行動している同行者を簡易に特定することができる。
【００１１】
また、上述した投稿手段は、コメントに自装置の位置情報を付加して送信しており、同行者特定手段は、その位置情報に基づいて検出される移動軌跡が一致する他の情報処理装置の利用者を同行者として特定することが望ましい。特に、上述した同行者特定手段は、一定時間の移動軌跡が一致する場合に同行者として特定することが望ましい。移動軌跡が一致する利用者は同行者である可能性が高く、このような利用者を同行者として自動的に設定することにより、手動設定する場合のような同行者の誤設定を防止するとともに操作の簡略化が可能となる。
【００１２】
また、上述したコメントに付加する写真を取り込む写真取得手段をさらに備え、同行者特定手段は、写真取得手段によって取り込まれた写真に含まれる人物の顔を抽出し、抽出した顔に基づいて同行者を特定することが望ましい。写真に一緒に写っていることを確認することにより、一緒に行動している同行者であるか否かを確実に判定することが可能となる。
【００１３】
また、上述したソーシャル・ネットワーキング・サービスは、フェイスブックであることが望ましい。これにより、フェイスブックにおいてコメントを投稿する際に、一緒に行動している同行者としての「友達」設定が容易となる。
【図面の簡単な説明】
【００１４】
【図１】一実施形態の車載装置が含まれる情報処理システムの全体構成を示す図である。
【図２】車載装置の詳細構成を示す図である。
【図３】コメント投稿の際に、車載装置とブルートゥース接続された携帯端末装置の利用者を一緒にいる友達としてタグ付けする動作手順を示す流れ図である。
【図４】同行者を強調した友達リストの表示例を示す図である。
【図５】コメント投稿の際に、それまでの一定時間の移動軌跡が同じ「友達」を、一緒にいる友達としてタグ付けする動作手順を示す流れ図である。
【図６】コメント投稿の際に、写真に含まれる人物を一緒にいる友達としてタグ付けする動作手順を示す流れ図である。
【図７】同行者特定に用いられる写真の一例を示す図である。
【発明を実施するための形態】
【００１５】
以下、本発明の情報処理装置およびコメント投稿方法を適用した一実施形態の車載装置について、図面を参照しながら説明する。図１は、一実施形態の車載装置が含まれる情報処理システムの全体構成を示す図である。図１に示す情報処理システムは、各車両に搭載された車載装置１と、ソーシャル・ネットワーキング・サービス（ＳＮＳ）の各種サービスを提供するＳＮＳサーバ２とを含んで構成されている。車載装置１とＳＮＳサーバ２との間は、所定のネットワーク３を介して接続されている。本実施形態におけるネットワーク３は、移動体電話網やインターネットなどの各種の通信網を含んで構成されている。また、上述したソーシャル・ネットワーキング・サービスとしては、例えば、フェイスブック（Facebook、登録商標）を想定しているが、ツイッター（Twitter、登録商標）やブログ、ミニブログ、マイクロブログなどを含めるようにしてもよい。
【００１６】
図２は、車載装置１の詳細構成を示す図である。図２に示すように、車載装置１は、ナビゲーション処理部１０、ＴＶチューナ処理部１４、ラジオチューナ処理部１６、ＡＶ処理部１８、操作部２０、入力制御部２６、表示処理部３０、表示装置３２、デジタル−アナログ変換器（Ｄ／Ａ）４０、スピーカ４２、制御部５０、カメラ６０、ハードディスク装置（ＨＤＤ）７０、ブルートゥース（登録商標）・インタフェース部（ＢＴ  ＩＦ）８０を備えている。
【００１７】
ナビゲーション処理部１０は、ハードディスク装置７０に記憶されている地図データを用いて車載装置１が搭載された車両の走行を案内するナビゲーション動作を行う。自車位置を検出するＧＰＳ装置１２とともに用いられ、車両の走行を案内するナビゲーション動作には、地図表示、経路探索・誘導のほかに周辺施設やＰＯＩ（Point Of Interest）を検索して表示する動作などが含まれる。なお、自車位置検出は、ＧＰＳ１２の他にジャイロセンサや車速センサ等の自律航法センサを組み合わせて用いるようにしてもよい。
【００１８】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。ＡＶ処理部１８は、圧縮されてハードディスク装置７０に記憶されている音楽データや映像データを読み出して再生する処理を行う。なお、音楽データや映像データは、ディスク読取装置（図示せず）を用いてＣＤやＤＶＤから読み取ったものを用いたり、携帯端末装置９０等から送られてくるものをブルートゥース・インタフェース部８０経由で受信して用いるようにしてもよい。
【００１９】
操作部２０は、車載装置１に対する利用者による操作を受け付けるためのものであり、表示装置３２の周囲に配置された各種の操作キー、操作スイッチ、操作つまみ等を含んで構成されている。また、表示装置３２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネルが操作部２０の一部として備わっている。なお、タッチパネルを用いる代わりに、リモートコントロールユニット等を用いて操作画面や入力画面の一部を利用者の指示に応じて選択するようにしてもよい。入力制御部２６は、操作部２０を監視しており、その操作内容を決定する。
【００２０】
表示処理部３０は、各種の操作画面や入力画面等を表示する映像信号を出力して表示装置３２にこれらの画面を表示するとともに、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００２１】
デジタル−アナログ変換器４０は、ナビゲーション処理部１０、ＴＶチューナ処理部１４、ラジオチューナ処理部１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図２ではこの増幅器は省略されている。また、デジタル−アナログ変換器４０とスピーカ４２との組合せは再生チャンネル数分備わっているが、図２では一組のみが図示されている。
【００２２】
制御部５０は、車載装置１の全体を制御するためのものであり、ＲＯＭやＲＡＭなどに格納された所定のプログラムをＣＰＵで実行することにより実現される。ブルートゥース・インタフェース部８０は、ブルートゥースによって車載装置１と携帯端末装置９０等との間で各種データの送受信を行う通信装置（ブルートゥース機器）である。本実施形態では、車両には運転者以外に２人の同乗者が乗車しており、運転者が携帯端末装置９０を、２人の同乗者が携帯端末装置９２、９４を携帯しているものとする。また、これら携帯端末装置９０、９２、９４は、いずれもブルートゥース機器であって、車載装置１との間でペアリングが終了しており、ブルートゥース接続された状態にあるものとする。
【００２３】
また、制御部５０は、フェイスブックを利用してコメントを投稿するために、投稿コメント作成部５１、同行者特定部５２、投稿処理部５３、同行者修正部５４を有する。
【００２４】
投稿コメント作成部５１は、利用者による操作部２０の操作内容に応じて、フェイスブックにおいて投稿するコメントを作成する。同行者特定部５２は、車載装置１の利用者（例えば、車両の運転者）と一緒に行動している同行者（友達）を自動的に特定する。この同行者の特定は、予め登録されている複数の同行者候補（友達リスト）の中から所定の条件を満たす同行者候補（友達）を選択することにより行われる。
【００２５】
投稿処理部５３は、同行者特定部５２によって特定された同行者の情報を付加してコメントを投稿する。同行者修正部５４は、操作部２０を用いた利用者の指示に従って、同行者特定部５２によって特定した同行者に対して削除および追加の少なくとも一方を行って同行者を修正する。なお、上述した説明および図１では、投稿コメント作成部５１、同行者特定部５２、投稿処理部５３、同行者修正部５４は、車載装置１の制御部５０に備わった機能としたが、制御部５０においてフェイスブックに関する機能を提供するウェブブラウザと、フェイスブックに関する各種制御や各種情報提供などを行うＳＮＳサーバ２との組合せで実現される。
【００２６】
上述した投稿コメント作成部５１が投稿コメント作成手段に、同行者特定部５２が同行者特定手段に、投稿処理部５３が投稿手段に、同行者修正部５４が同行者修正手段に、カメラ６０が写真取得手段に、ＧＰＳ装置１２が位置情報取得手段にそれぞれ対応する。
【００２７】
本実施形態の車載装置１はこのような構成を有しており、次に、運転者が車載装置１を操作してフェイスブックのコメントを投稿する際に、同行者を「一緒にいる友達」としてタグ付けする動作について説明する。
【００２８】
（実施例１）
図３は、コメント投稿の際に、車載装置１とブルートゥース接続された携帯端末装置の利用者を一緒にいる友達としてタグ付けする動作手順を示す流れ図である。
【００２９】
フェイスブックのチェックイン（ログイン）後に、投稿コメント作成部５１は、投稿コメント作成か否かを判定する（ステップ１００）。利用者（例えば、車載装置１が搭載された車両の運転者）によってコメント作成が指示されていない場合には否定判断が行われ、この判定が繰り返される。
【００３０】
また、利用者によってコメント作成が指示されるとステップ１００の判定において肯定判断が行われる。次に、投稿コメント作成部５１は、コメント作成枠を表示し、操作部２０を用いた利用者の入力操作に応じてコメント作成を行う（ステップ１０２）。
【００３１】
次に、投稿コメント作成部５１は、作成中のコメントに友達をタグ付けするか否かを判定する（ステップ１０４）。コメント作成枠の近傍には、「一緒にいる友達をタグ付け」ボタンが用意されており、このボタンが選択されない場合には否定判断が行われる。次に、投稿処理部５３は、投稿が指示されたか否か（コメント作成枠の近傍に配置された「投稿」ボタンが選択されたか否か）を判定する（ステップ１０６）。「投稿」ボタンが選択されて投稿が指示されると肯定判断が行われ、投稿処理部５３は、作成されたコメントを付加情報（友達や写真などのタグ情報）とともに投稿する（ステップ１０８）。また、投稿が指示されない場合にはステップ１０６の判定において否定判断が行われ、ステップ１０２に戻ってコメント作成が継続される。
【００３２】
また、コメント作成枠の近傍の「一緒にいる友達をタグ付け」が選択された場合にはステップ１０４の判定において肯定判断が行われる。次に、同行者特定部５２は、ブルートゥース接続された携帯端末装置９０、９２、９４の利用者を同行者として特定し（ステップ１１０）、この特定した同行者を強調した友達リストを表示する（ステップ１１２）。
【００３３】
図４は、同行者を強調した友達リストの表示例を示す図である。図４において、友達Ａは携帯端末装置９２の利用者に、友達Ｂは携帯端末装置９４の利用者にそれぞれ対応している。なお、この友達リストは運転者自身のものであるため、携帯端末装置９０の利用者（運転者）はこの友達リストには含まれていない。また、このような友達リストの表示を行うためには、その前提として、携帯端末装置９０の利用者が「運転者」に対応し、携帯端末装置９２の利用者が「友達Ａ」に対応し、携帯端末装置９４の利用者が「友達Ｂ」に対応することが予めわかっている必要があり、これらの対応関係を示す情報が携帯端末装置９０〜９４やＳＮＳサーバ２に予め格納されているものとする。
【００３４】
次に、同行者修正部５４は、同行者の修正ありか否かを判定する（ステップ１１４）。例えば、図４に示す友達リストで、強調された友達Ａ、Ｂを利用者が選択すると、これらの強調が削除されて同行者から除外することができる。また、それ以外の友達Ｚ、Ｙを利用者が選択すると、これらに強調が付加されて同行者に加えることができる。これらの変更が行われるとステップ１１４の判定において肯定判断が行われる。次に、友達リストの上部にある「閉じる」ボタンが利用者によって選択されると、同行者修正部５４は、同行者を変更し（ステップ１１６）、同行者特定部５２は、変更後の友達をタグ付けする（ステップ１１８）。なお、同行者の変更が行われずに「閉じる」ボタンが利用者によって選択されると、同行者特定部５２は、同行者として特定した友達をタグ付けする（ステップ１１８）。その後、ステップ１０２に戻ってコメント作成が継続される。
【００３５】
（実施例２）
図５は、コメント投稿の際に、それまでの一定時間の移動軌跡が同じ「友達」を、一緒にいる友達としてタグ付けする動作手順を示す流れ図である。図５に示す動作手順は、図３に示した動作手順に対して、ステップ１１０をステップ１１０Ａに置き換えた点が異なっている。以下では、このステップ１１０Ａについて説明を行う。
【００３６】
コメント作成枠の近傍の「一緒にいる友達をタグ付け」が選択された場合にはステップ１０４の判定において肯定判断が行われ、次に、同行者特定部５２は、一定時間の移動軌跡が同じ友達を同行者として特定し（ステップ１１０Ａ）、この特定した同行者を強調した友達リストを表示する（ステップ１１２）。
【００３７】
例えば、友達が運転者自身と同じ移動軌跡を辿っているか否かは、以下のようにして判断することができる。
【００３８】
運転者の友達リストに含まれる複数の友達の投稿内容を一定時間監視し、この投稿に付加されている位置情報とそのときの時刻とに基づいて移動軌跡を求める。この移動軌跡を、運転者自身の一定時間内における移動軌跡（車両の走行軌跡）と比較する。なお、この例では、投稿に付加されている位置情報を用いたが、友達が使用している各携帯端末装置や携帯電話のＧＰＳ機能を利用して定期的に位置情報を取得するようにしてもよい。但し、この場合には、各携帯端末装置の利用者がどの友達に対応しているかが予めわかっている必要がある。また、これらの位置情報や移動軌跡の取得に関する動作は、ＳＮＳサーバ２やその他のサーバから必要な情報を取得して車載装置１内の同行者特定部５２で行う場合の他に、ＳＮＳサーバ２やその他のサーバで行い、移動軌跡の異同の判定結果を車載装置１内の同行者特定部５２が受け取るようにしてもよい。特に、最近は各種の処理をクラウドコンピューティングの手法で実現する場合があり、この場合には各種の情報がサーバに集まるため、友達の位置情報の取得や一定時間の移動軌跡の算出も容易になる。
【００３９】
（実施例３）
図６は、コメント投稿の際に、写真に含まれる人物を一緒にいる友達としてタグ付けする動作手順を示す流れ図である。図６に示す動作手順は、図３に示した動作手順に対して、ステップ１１０をステップ１１０Ｂに置き換えた点が異なっている。以下では、このステップ１１０Ｂについて説明を行う。
【００４０】
コメント作成枠の近傍の「一緒にいる友達をタグ付け」が選択された場合にはステップ１０４の判定において肯定判断が行われ、次に、同行者特定部５２は、写真に含まれる人物を同行者として特定し（ステップ１１０Ｂ）、この特定した同行者を強調した友達リストを表示する（ステップ１１２）。
【００４１】
図７は、同行者特定に用いられる写真の一例を示す図である。同行者特定に用いられる写真は、車載装置１に備わったカメラ６０で撮影したものでもよいが、投稿用に携帯端末装置９０から読み込んだり、ハードディスク装置７０から読み出したものであってもよい。例えば、図７に示した写真には、運転者と車両に同乗している２人の同行者（友人Ａ、Ｂ）が移っている。
【００４２】
同行者特定部５２は、写真に含まれる人物の顔の部分を顔認識により抽出し、図示しない顔データベース（顔画像から抽出した特徴データとフェイスブックユーザである運転者、友人Ａ、Ｂやその他の友人との関係が格納されている）に基づいて、写真に含まれる人物が運転者、友人Ａ、Ｂであることを特定する。この中で、運転者はコメントの投稿者自身であるため、運転者以外の友達Ａ、Ｂが同行者として特定される。
【００４３】
なお、上述した写真に基づく同行者の特定に関する動作は、必ずしも車載装置１内の同行者特定部５２によって行う必要はなく、少なくとも一部をＳＮＳサーバ２において行うようにしてもよい。例えば、顔認識で抽出した顔画像、あるいはこの顔画像から抽出した特徴データをＳＮＳサーバ２に送り、ＳＮＳサーバ２において顔データベースとの照合を行って、写真に写っている人物がフェイスブックユーザのいずれに一致するかを判定するようにしてもよい。また、コメント作成時に写真をタグ付けする際に写真をアップロードする必要があるため、ＳＮＳサーバ２においてこのアップロードされた写真に対して顔認識等を行って、写っている人物を特定するようにしてもよい。
【００４４】
このように、本実施形態の車載装置１では、フェイスブックでコメントを投稿する際に、同行者を自動的に特定して一緒にいる友達としてタグ付けすることにより、手動設定する場合のような同行者の誤設定を防止することができるとともに、操作を簡略化することができる。また、自動的に設定した同行者（友達）に誤りがあった場合などに変更を加えることができるため、実情に合わせた設定が可能となる。
【００４５】
また、ブルートゥースによって相互に接続された他の情報処理装置（携帯端末装置）の利用者を同行者として特定することにより、一緒に行動している同行者を容易かつ確実に特定することができる。
【００４６】
あるいは、移動軌跡が一致する利用者は同行者である可能性が高く、このような利用者を同行者として自動的に設定することにより、手動設定する場合のような同行者の誤設定を防止するとともに操作の簡略化が可能となる。
【００４７】
さらに、写真に一緒に写っている人物を同行者として特定することにより、一緒に行動している同行者であるか否かを確実に判定することが可能となる。
【００４８】
なお、本発明は上記実施形態に限定されるものではなく、本発明の要旨の範囲内において種々の変形実施が可能である。例えば、上述した実施形態では、車載装置１を用いてコメントを投稿する場合について説明したが、携帯端末装置９０や家庭用のパーソナルコンピュータ等を用いてコメントを投稿する場合に本発明を適用することができる。
【００４９】
また、上述した実施形態では、近距離無線通信の一つとしてのブルートゥースによって車載装置１と携帯端末装置９０〜９４とを接続したが、それ以外の無線通信、例えば無線ＬＡＮなどによってこれらの間の接続を行うようにしてもよい。
【００５０】
また、上述した実施形態の「実施例２」では、図５のステップ１１０Ａにおいて、同行者特定部５２が、一定時間の移動軌跡が同じ友達を同行者として特定するようにしたが、このステップ１１０Ａの動作の代わりに、同行者特定部５２が、ＧＰＳ装置１２を用いて検出された自車位置の所定範囲内に存在する他の車両（車載装置１）の利用者を同行者として特定するようにしてもよい。具体的には、運転者の友達リストに含まれる複数の友達の投稿内容を監視し、この投稿に付加されている位置情報を取得し、この位置情報に対応する位置が自車位置の所定範囲内に含まれるか否かを判定すればよい。これにより、一緒に行動している同行者を簡易に特定することができる。
【産業上の利用可能性】
【００５１】
上述したように、本発明によれば、同行者を自動的に特定することにより、手動設定する場合のような同行者の誤設定を防止することができるとともに、操作を簡略化することができる。
【符号の説明】
【００５２】
１  車載装置
２０  操作部
２６  入力制御部
３０  表示処理部
３２  表示装置
５０  制御部
５１  投稿コメント作成部
５２  同行者特定部
５３  投稿処理部
５４  同行者修正部
【図１】
2015095031.tif 000003
【図２】
2015095031.tif 000004
【図３】
2015095031.tif 000005
【図４】
2015095031.tif 000006
【図５】
2015095031.tif 000007
【図６】
2015095031.tif 000008
【図７】
2015095031.tif 000009